(57)【要約】【課題】爪を持ち上げるための器具を準備せずとも施術を行うことが可能であり、また爪を皮膚から離間させる際に要する力が小さくて済む、新たな爪矯正具を提案する。【解決手段】本発明の爪矯正具１は、弾性を有し一端部２ｂから他端部２ｃに向かって爪１１の表面に順次貼り付けられる板状の基部２ａを有する固着部材２と、基部２ａの裏面から突出する形態となる突出部３ａを有するとともに基部２ａに対してスライド可能に設けられ、一端部２ｂを爪１１に固着させて他端部２ｃを爪１１に向かって押圧した状態において、突出部３ａは爪１１の表面に当接して支点として機能するとともに他端部２ｃを力点として機能させ且つ一端部２ｂを作用点として機能させるスライド部材３とを備える。【選択図】図１
2018175681.tif 000002
【特許請求の範囲】
【請求項１】
弾性を有し一端部から他端部に向かって爪の表面に順次貼り付けられる板状の基部を有する固着部材と、
前記基部の裏面から突出する形態となる突出部を有するとともに前記基部に対して前記一端部から前記他端部に向けてスライド可能に設けられ、該一端部を爪に固着させて該他端部を爪に向かって押圧した状態において、該突出部は爪の表面に当接して支点として機能するとともに該他端部を力点として機能させ且つ該一端部を作用点として機能させるスライド部材とを備える爪矯正具。
【請求項２】
前記固着部材は、前記一端部において前記基部の裏面に向かって曲がった屈曲部を有する請求項１に記載の爪矯正具。
【請求項３】
前記突出部は、爪の表面に当接する部位が曲面状である請求項１又は２に記載の爪矯正具。
【発明の詳細な説明】
【技術分野】
【０００１】
本発明は、陥入爪や巻き爪といった、爪の変形を矯正するために用いられる爪矯正具に関する。
【背景技術】
【０００２】
例えばハイヒールなどの幅の狭い靴を履き続けていると、爪の側縁が足指の皮膚に食い込んで炎症を起こす陥入爪や、通常よりも爪が曲がった状態になる巻き爪などのように、爪が変形した状態になってしまうことがある。
【０００３】
このような爪の変形を矯正するための爪矯正具として、例えば特許文献１には、弾性を有する小片を爪の表面に貼り付け、その弾性力でもって湾曲した爪を平坦な状態に戻そうとする爪矯正具が開示されている。
【先行技術文献】
【特許文献】
【０００４】
【特許文献１】特開２００１−３７５３５号公報
【発明の概要】
【発明が解決しようとする課題】
【０００５】
ところで特許文献１の爪矯正具にあっては、爪が湾曲したままの状態で貼り付けても矯正効果は薄いため、別の器具等で爪の端部を挟持し、皮膚から離間するように持ち上げることによって爪を平坦な状態に近づけたうえで、これを貼り付ける必要がある。すなわち、施術行うに際しては、爪矯正具とは別の器具を準備しなければならない。また、爪を皮膚から離間させるには比較的強い力で爪を持ち上げなければならず、施術が行い難いという問題も抱えている。
【０００６】
本発明は、このような問題点を解決することを課題とするものであり、爪を持ち上げるための器具を準備せずとも施術を行うことが可能であって、また爪を皮膚から離間させる際に要する力が小さくて済むため施術が行いやすくなる、新たな爪矯正具を提供することを目的とする。
【課題を解決するための手段】
【０００７】
本発明は、弾性を有し一端部から他端部に向かって爪の表面に順次貼り付けられる板状の基部を有する固着部材と、
前記基部の裏面から突出する形態となる突出部を有するとともに前記基部に対して前記一端部から前記他端部に向けてスライド可能に設けられ、該一端部を爪に固着させて該他端部を爪に向かって押圧した状態において、該突出部は爪の表面に当接して支点として機能するとともに該他端部を力点として機能させ且つ該一端部を作用点として機能させるスライド部材とを備える爪矯正具である。
【０００８】
このような爪矯正具において、前記固着部材は、前記一端部において前記基部の裏面に向かって曲がった屈曲部を有することが好ましい。
【０００９】
また前記突出部は、爪の表面に当接する部位が曲面状であることが好ましい。
【発明の効果】
【００１０】
このような固着部材とスライド部材とを備える本発明の爪矯正具によれば、固着部材における基部の一端部を爪に固着させ、またその他端部を爪に向かって押圧した状態において、スライド部材の突出部は爪の表面に当接する。すなわち、突出部が支点として機能するとともに、他端部は力点として機能し、また一端部は作用点として機能するため、梃の原理によって、他端部に加える力よりも大きな力を一端部へ作用させることができる。従って、湾曲した爪をより小さな力で平坦な状態に近づけることができるため、施術が行いやすくなる。
【００１１】
また固着部材に対し、その一端部において、基部の裏面に向かって曲がった屈曲部を設ける場合は、屈曲部が爪の端縁に引っ掛かるようにして一端部を爪に固着することができるため、施術中に一端部が爪から外れてしまう不具合をより確実に防止することができ、施術が更に行いやすくなる。
【００１２】
そして突出部における爪の表面に当接する部位が曲面状である場合は、突出部と爪との接触面積が小さくなるため、スライド部材が爪に当接した状態であっても、これをスムーズにスライドさせることができる。
【図面の簡単な説明】
【００１３】
【図１】本発明に従う爪矯正具の一実施形態を示す図であって、（ａ）は平面図であり、（ｂ）は側面図であり、（ｃ）は（ａ）に示すＡ−Ａに沿う断面図である。
【図２】図１に示す爪矯正具用いて爪を矯正する手順を説明する図であって、（ａ）は患者の足の親指を模式的に示す平面図と正面図であり、（ｂ）は基部の一端部を爪に固着した状態を示す正面図であり、（ｃ）は基部の他端部を爪に向かって押圧してスライド部材を爪の表面に当接させた状態を示す正面図であり、（ｄ）はスライド部材を他端部に向けて異動させつつ、更に他端部を押圧して爪を皮膚から離間させた状態を示す正面図であり、（ｅ）は所定の長さで基部をカットして、基部の不要な部分とスライド部材とを除去する状態を示す平面図と正面図である。
【図３】本発明に従う爪矯正具の変形例を示す図である。
【発明を実施するための形態】
【００１４】
以下、図面を参照しながら本発明に従う爪矯正具の一実施形態について説明する。図中の符号１は、本発明に従う爪矯正具の一実施形態を示している。爪矯正具１は、固着部材２とスライド部材３とで構成されている。また図２に示す符号１０は、爪矯正具１によって矯正される患者の足の親指を示していて、符号１１は親指の爪を示している。
【００１５】
固着部材２は、図１に示すように板状をなす基部２ａを備えている。基部２ａは弾性を有していて、爪の表面に貼り付けられて爪を矯正するものである。本実施形態の基部２ａは、図１（ａ）に示すように、一端部２ｂから他端部２ｃに向かって同幅で長く延在して矩形状をなしている。また一端部２ｂには、図１（ｂ）に示すように、基部２ａの裏面に向かって曲がった屈曲部２ｄが設けられている。本実施形態の屈曲部２ｄは、基部２ａとほぼ同じ厚みでもって基部２ａに対する角度がほぼ９０度となるように曲がっている。そして他端部２ｃには、基部２ａよりも大きな厚みで形成され、固着部材２を爪に貼り付ける際に持ち手として機能する操作部２ｅが設けられている。
【００１６】
固着部材２は、基部２ａに弾性を持たせるべく、例えばＡＢＳ樹脂（アクリロニトリル、ブタジエン、スチレン共重合合成樹脂）やＰＭＭＡ樹脂（アクリル樹脂）などの如き合成樹脂によって形成されている。なお、材料として合成樹脂を用いる場合は、施術中の状況を確認しやすくすること、また施術後は爪に貼り付けられた状態になるために見映えを考慮すべきであることから、無色透明のものを用いることが好ましい。また基部２ａの厚みは、合成樹脂であれば例えば０．５ｍｍ〜１．５ｍｍ程度のものが使用される。
【００１７】
スライド部材３は、基部２ａに対して一端部２ｂから他端部２ｃに向けてスライド可能に設けられるものである。図１（ｂ）に示すようにスライド部材３は、基部２ａに設けられた状態において、基部２ａの裏面から突出する形態となる突出部３ａを備えている。本実施形態の突出部３ａは円柱状をなすものである。
【００１８】
またスライド部材３は、突出部３ａの両側の側端部に対をなすように設けられる係合部３ｂを備えている。図１（ｃ）に示すように本実施形態の係合部３ｂは、突出部３ａに連結するとともに、基部２ａに設けられた状態において基部２ａの側縁に沿って延在し、そこから基部２ａの幅方向内側に向かって基部２ａの表面に沿って延在するように設けられていて、またその幅は、図１（ａ）、（ｂ）に示すように、突出部３ａとの連結部から基部２ａの表面に向かうにつれて、徐々に広がるように形成されている。このような係合部３ｂによれば、スライド部材３が一端部２ｂ側に移動した際には屈曲部２ｄに引っ掛かり、またスライド部材３が他端部２ｃ側に移動した際には操作部２ｅに引っ掛かるため、スライド部材３が固着部材２から脱落してしまうことはない。また係合部３ｂが一対設けられていることから、スライド部材３は、基部２ａに対して幅方向に抜け落ちてしまうこともない。
【００１９】
スライド部材３の材質は特に問わないが、固着部材２に対してスライドする際の摺動性や製造のし易さ等を考慮すると合成樹脂で形成することが好ましい。また、後述するようにスライド部材３は最終的に除去されるものであるため、固着部材２のように無色透明のものでなくてもよい。
【００２０】
次に、図２を参照しながら爪矯正具１を用いて患者の爪１１を矯正する方法について説明する。まず、図２（ｂ）の拡大図に示すように、基部２ａにおける一端部２ｂの裏面に接着剤ｇを塗布して、一端部２ｂを爪１１の表面に貼り付ける。なお接着剤ｇの塗布は、爪１１の表面に行ってもよい。また、接着剤ｇの種類は特に問わず、１液タイプや２液タイプなど種々のものを用いることができる。そしてその成分も、例えばシアノアクリル酸エチルやポリメタクリル酸メチルをはじめとする種々のものを採用することができる。
【００２１】
ここで、基部２ａを爪１１の表面に貼り付けるにあたっては、図２（ｂ）の拡大図に示すように基部２ａの一端部２ｂに設けた屈曲部２ｄが、爪１１の端縁に引っ掛かるようにすることが好ましい。すなわち、接着剤によって爪１１に固定された一端部２ｂは、屈曲部２ｄが爪１１の端縁に引っ掛かることによってより強固に固定されることになるため、施術中に一端部２ｂが爪１１から外れてしまう不具合をより確実に防止することができる。
【００２２】
そして一端部２ｂを爪１１に固着させた後は、基部２ａの裏面における一端部２ｂとスライド部材３との間に更に接着剤ｇを塗布しつつ、図２（ｃ）に示すように、突出部３ａが爪１１の表面に当接するようにしたうえで、操作部２ｅを爪１１に向かって押圧する。この状態において、突出部３ａは支点として機能するとともに、操作部２ｅは力点として機能し、また一端部２ｂは作用点として機能するため、梃の原理によって、操作部２ｅに加える力よりも大きな力が一端部２ｂへ作用することになる。すなわち、一端部２ｂに固着した爪１１を、より小さな力で持ち上げることができる。
【００２３】
一端部２ｂが持ち上げられた後は、図２（ｄ）に示すようにスライド部材３を操作部２ｅに向かって移動させつつ、またスライド部材３の手前まで接着剤ｇを更に塗布していき、平坦な状態になった爪１１に対して基部２ａを、一端部２ｂから操作部２ｅに向かって順次貼り付けていく。ここで、スライド部材３を移動させるにあたっては、操作部２ｅに力を加えたまま行ってもよいし、操作部２ｅに加えた力を一旦緩めてスライド部材３を移動させ、再度操作部２ｅに力を入れるという手順で行ってもよい。なお、本実施形態の突出部３ａは円柱状であって、爪１１に対して線状に当接するため、これらの接触面積は小さくなっている。従って、操作部２ｅに力を加えたままでも、スライド部材３をスムーズに移動させることができる。
【００２４】
爪１１に対して基部２ａを所定の位置まで貼り付けた後は、図２（ｅ）に示すように基部２ａをカットして、基部２ａにおける不要な部分とスライド部材３とを除去する。そして、貼り付けた基部２ａの端縁を削って引っかかりが無いように整え、必要に応じて爪１１の表面にジェルを塗布する等の仕上げを行って施術が完了する。
【００２５】
このように本実施形態の爪矯正具１によれば、爪１１は固着部材２とスライド部材３による梃の原理でもって平坦な状態に近づけられ、そこに基部２ａが貼り付けられるため、高い矯正効果を得ることができる。また、操作部２ｅに加える力も小さくて済むため、施術が行いやすくなる。
【００２６】
なお、本発明に従う爪矯正具はこれまでに述べた実施形態に限定されるものではなく、特許請求の範囲に従う限りにおいて種々の変更を加えたものも含まれる。
【００２７】
例えば屈曲部２ｄは、上述した実施形態では基部２ａに対する角度がほぼ９０度となるように曲がっていたが、この角度に限定されるものではない。また、屈曲部２ｄを設ける場合は、施術中に一端部２ｂが爪１１から外れてしまう不具合が防止できるという利点があるものの、この屈曲部２ｄを廃止して形状の簡素化を図ってもよい。同様にして、操作部２ｅを廃止してもよい。
【００２８】
また突出部３ａは、上述した実施形態では円柱状であったが、円筒状であってもよい。また横断面形状も円に限られるものではなく、多角形状であってもよい。なお、多角形状の突出部を採用する際には、爪１１に対して当接する部位を平面状にしてもよいが、爪１１との接触面積を減らすために曲面状にすることが好ましい。
【００２９】
そして係合部３ｂは、上述した実施形態では突出部３ａとの連結部から基部２ａの表面に向かうにつれて、幅が徐々に広がるように形成されていたが、図３（ａ）に示すように、同幅になるように形成してもよい。また係合部３ｂは、上述した実施形態では突出部３ａの両側の側端部に対をなすように設けていたが、一方側だけにして、例えば図３（ａ）に示すように突出部３ａとの間で横断面形状がコ字状になるように設けてもよい。また、基部２ａの周囲を取り囲むようにして、図３（ｂ）に示す如き、突出部３ａとの間で横断面形状がロ字状になるようにしてもよい。ところで、図３（ａ）に示す形態にあっては、基部２ａの片側の側縁は開放されているため、スライド部材３が基部２ａの幅方向に脱落してしまうおそれがある。このため、図３（ｃ）に示すように、基部２ａの側縁に引っ掛かる突起３ｃを設けてもよく、また、図３（ｄ）に示すように、基部２ａの上面に一端部２ｂから他端部２ｃに向かって延在する突条２ｆを設け、この突条２ｆに対して突起３ｃが引っ掛かるようにしてもよい。
【符号の説明】
【００３０】
１：爪矯正具
２：固着部材
２ａ：基部
２ｂ：一端部
２ｃ：他端部
２ｄ：屈曲部
２ｅ：操作部
２ｆ：突条
３：スライド部材
３ａ：突出部
３ｂ：係合部
３ｃ：突起
１０：親指
１１：爪
ｇ：接着剤
【図１】
2018175681.tif 000003
【図２】
2018175681.tif 000004
【図３】
2018175681.tif 000005